(57)【要約】【課題】通気開口が設けられ、その通気開口近傍に電気機器が配設され、電気機器に配線コードが接続された建築用パネルにおいても、その配線コードの余剰分により発生する問題を解消できる建築用パネルを提供する。【解決手段】本発明の建築用パネルは、パネル本体１と、電気機器６と、配線コード７と、固定部材８とを備えている。パネル本体１は、一対の通気開口５を有し且つ該両通気開口５が風路１１により連通している。電気機器６は、風路１１の通気方向Ｂにおける両端部にそれぞれ設けられる。配線コード７は、風路１１内に配設されており、電気機器６同士を接続し、また弾性を有している。固定部材８は、配線コード７の先端部を風路１１の中央側に向けて折り返した状態で固定する。そして、配線コード７のコネクタ７１が風路１１の端部から外側に引き出されることでコネクタ同士６３，７１が接続可能とされている。【選択図】図１
2011069129.tif 000002
【特許請求の範囲】
【請求項１】
矩形板状に形成され一の端部とその反対側の端部とにそれぞれ通気開口を有し且つ該両通気開口が風路により連通したパネル本体と、
風路の通気方向における両端部にそれぞれ設けられると共にコネクタを有する複数の電気機器と、
風路内に配設され、その両端に設けられたコネクタを介して電気機器同士を電気的に接続し、弾性を有する配線コードと、
風路内の通気方向において電気機器よりも中央側に設けられ、配線コードの先端部を風路の通気方向の中央側に向けて折り返した状態で固定する固定部材とを備え、
配線コードのコネクタが風路の通気方向の端部から外側に引き出されることで該コネクタと電気機器のコネクタとが接続可能とされ、
接続された状態の両コネクタが配線コードの弾性による復元力により風路の通気方向の中央側に引き込まれることを特徴とする建築用パネル。
【発明の詳細な説明】
【技術分野】
【０００１】
本発明は、建築用パネルに関するものである。
【背景技術】
【０００２】
従来から、居住空間に設置する空気浄化装置として、例えば特許文献１のものが知られている。この特許文献１により示す空気浄化装置は、埋め込み型の空気浄化装置であり、例えば建築物の壁に設置される。この空気浄化装置は、角筒状の筐体内に調湿部材を配設して構成されたものであり、空気浄化装置内に空気を通流させて空気浄化を図るものである。そのため、空気の流れのある中に且つ空気の通気方向に沿うように設置されなければ効果的に空気浄化することができない。
【０００３】
この空気浄化装置を居住空間に設置するに当たっては、特許文献１の図３に示されるように、壁の天井近くに吸気口（特許文献１中符号６３）を設け、床近くに排気口（特許文献１中符号６５）を設け、この吸気口６３と排気口６５を連通する風路を形成し、この排気口６５の近傍に排気ファン（特許文献１中符号６６）を設け、吸気口６３の近傍に吸気ファン（特許文献１中符号６４）を設け、これらファン６４，６６によって風路における空気流れを強制的に作るようにしたうえで、この風路内に空気浄化装置を配設するようになっており、このように設置しなければ効果的な空気浄化を行なうことができない。
【先行技術文献】
【特許文献】
【０００４】
【特許文献１】特開２００２−２３９３２６号公報
【発明の概要】
【発明が解決しようとする課題】
【０００５】
ところで、このような空気浄化装置を上記のように設置するには、壁を改造したり、壁を取り替えたりする必要があるため、相当な手間がかかり、設置が困難である。
【０００６】
この点、本発明者らは、偏平な板状のパネルの一の端部とその反対側の端部とにそれぞれ通気開口を設け、この通気開口を連通して風路を形成し、この風路の通気方向の両端に電気機器を設けた構成の建築用パネルを開発した。これにより、例えば、両端の電気機器のうち一端側をファンとし、他端側をそのファンの制御回路とすることで、循環機能を備えた建築用パネルとすることができる。
【０００７】
ここで、この風路の通気方向の一端部側に設けられたファンと、他端部側に設けられた制御回路とは電気的に接続する必要がある。そのため、図５に概略的に示されるように、両端にコネクタ７１が設けられると共に風路１１の通気方向Ｂの全長よりも長い配線コード７ａを用意し、この配線コード７ａを通気方向Ｂに略平行となるように風路１１内に配設した。このように、風路１１長さよりも長く形成された配線コード７ａを用いることによって、その余剰分を風路１１の通気方向Ｂの端部から引っ張り出すことをできるようにし、このコネクタ７１に電気機器を接続しやすいような構成としていた。
【０００８】
しかし、このような建築用パネルを、例えば、一方が床側、他方が天井側となるように設置する場合には、図５（ｂ）に示されるように、前記余剰分の配線コード７ａが自重によって垂れ下がってしまう。これにより、配線コード７ａが、下方にある通気開口から露出したり、ファン６１に干渉したりという問題が生じていた。また、上方の通気開口においても、引っ張り出して接続した配線コード７ａが、引っ張り出されたままの状態となり、通気開口から露出してしまって見た目が悪いという問題が生じていた。
【０００９】
本発明は、上記事情に鑑みてなされたものであり、その目的とするところは、通気開口が設けられ、その通気開口近傍に電気機器が配設され、電気機器に配線コードが接続された建築用パネルにおいても、その配線コードの余剰分により発生する問題を解消できる建築用パネルを提供することにある。
【課題を解決するための手段】
【００１０】
上記課題を解決するために、本発明の建築用パネルは以下の構成とする。
【００１１】
すなわち、本発明の建築用パネルは、パネル本体１と、電気機器６と、配線コード７と、固定部材８とを備えている。パネル本体１は、矩形板状に形成されており、一の端部とその反対側の端部とにそれぞれ通気開口５を有し且つ該両通気開口５が風路１１により連通している。電気機器６は、複数設けられており、風路１１の通気方向Ｂにおける両端部にそれぞれ設けられると共にコネクタ６３を有している。配線コード７は、風路１１内に配設されており、その両端に設けられたコネクタ７１を介して電気機器６同士を電気的に接続し、また弾性を有している。固定部材８は、風路１１内の通気方向Ｂにおいて電気機器６よりも中央側に設けられており、配線コード７の先端部を風路１１の通気方向Ｂの中央側に向けて折り返した状態で固定する。また、配線コード７のコネクタ７１が風路１１の通気方向Ｂの端部から外側に引き出されることで該コネクタ７１と電気機器６のコネクタ６３とが接続可能とされている。そして、接続された状態の両コネクタ６３，７１が配線コード７の弾性による復元力により風路１１の通気方向Ｂの中央側に進退自在に引き込まれる。
【００１２】
このような構成としたことで、配線コード７のコネクタ７１を風路１１の通気方向Ｂの端部から外側に引き出すと、該コネクタ７１と電気機器６のコネクタ６３とが接続可能となる。この状態で電気機器６のコネクタ６３と配線コード７のコネクタ７１とを接続し、その後、把持していた両コネクタ６３，７１を手放すと、該コネクタ６３，７１と固定部材８との間で湾曲した配線コード７の復元力により、該コネクタ６３，７１が風路１１の通風方向Ｂの中央側に引っ張られる。
【００１３】
つまり、接続状態の両コネクタ６３，７１が電気機器６から離れる方向に引き込まれるため、電気機器６と配線コード７とが干渉するのを防止でき、また通気開口５から余剰分の配線コード７が露出するのを防止できる。
【発明の効果】
【００１４】
本願発明によれば、通気開口が設けられ、その通気開口近傍に電気機器が配設され、電気機器に配線コードが接続された建築用パネルにおいても、その配線コードの余剰分により発生する問題を解消することができる。
【図面の簡単な説明】
【００１５】
【図１】本発明の一実施形態の概略図である。
【図２】同上の排気部と吸気部を取り付ける前の概略図である。
【図３】同上の分解斜視図である。
【図４】同上の全体斜視図である。
【図５】（ａ）（ｂ）は本願発明の背景技術を説明するための参考図である。
【発明を実施するための形態】
【００１６】
以下、本発明の実施形態について添付図面に基づいて説明する。
【００１７】
本実施形態の建築用パネルは、前面が鉛直面となるように設置される壁パネルである。以下の説明においてはその設置状態に応じて説明する。
【００１８】
本実施形態の建築用パネルは、図４に示されるように、矩形板状のパネル本体１によって外郭が構成されており、このパネル本体１の上端部と下端部とのそれぞれに通気開口５が設けられ、上端部の通気開口５を排気用の通気開口５（以下、排気口３１）とし、下端部の通気開口５を吸気用の通気開口５（以下、吸気口４１）としている。また、排気口３１と吸気口４１とを連通する風路１１が、パネル本体１の内部の略全面に亘るように設けられている。つまり、このパネル本体１は、内部に風路１１が形成されているため、中空状となっている。
【００１９】
このパネル本体１は、図３及び図４に示されるように、上下方向に開口を有すると共に該開口を連通した風路１１が内部に形成された中央部２と、中央部２の下端の開口と連通した吸気口４１を有すると共に、中央部２の下端部に取り付けられる吸気部４と、中央部２の上端の開口と連通した排気口３１を有すると共に、中央部２の上端部に取り付けられる排気部３とから構成されており、この中央部２と吸気部４と排気部３との３者が着脱自在に組み立てられる。
【００２０】
中央部２は、背面を構成するベース材２１と、ベース材２１の前方を覆う化粧パネル２２とを備えており、偏平な角筒のような形状となっている。ベース材２１は、図３に示されるように、パネル本体１の背面を構成する背面板２３の長手方向の両辺から前方に向けて枠片２４が突設され、この枠片２４の前端から外方に向けてフランジ片２５が突設されている。この背面板２３と枠片２４と化粧パネル２２とで形成される領域が風路１１となっている。本実施形態の風路１１は、調湿材９が収容される調湿材収容部２６と、サーキュレータ用の循環路となる循環通路部２７とを有しており、これらは仕切り片２８によって仕切られている。
【００２１】
調湿材収容部２６には、図１に示されるように、通気方向Ｂ（上下方向）に沿うように配線コード７が配設されている。この配線コード７は、両端にコネクタ７１が設けられており、風路１１の下端部に設けられた送風機器６１と、風路１１の上端部に設けられた制御回路６２とを該コネクタ７１を介して電気的に接続するためのものである。配線コード７は、風路１１の通気方向Ｂの長さよりも長尺とされており、曲げに対して弾性を有している。つまり、この配線コード７は曲げられて、直線形状から湾曲形状に変形しても、復元力により再び直線形状に戻るような弾性を有している。
【００２２】
図１〜図３に示されるように、ベース材２１の上端部よりもやや中央側及び下端部よりもやや中央側には、それぞれ固定部材８が固設されている。この固定部材８は、配線コード７の先端部を風路１１の通気方向Ｂの中央側に向けて折り返した状態で固定する。配線コード７は固定部材８よりも先端側が自由端とされており、この自由端のコネクタ７１が風路１１の通気方向Ｂの端部から外側に引き出されることで該コネクタ７１と電気機器６のコネクタ６３とが接続可能な状態とされる。
【００２３】
本実施形態の中央部２は、調湿材収容部２６に配設された配線コード７の前方を覆うように偏平な調湿材９を収容したうえで、板状の化粧パネル２２により風路１１を覆うようにして成る。
【００２４】
吸気部４は、ベース材２１の下端と連結する下外郭部１０と、該下外郭部１０の前面に設けられ吸気口４１を有する吸気カバー４３とから構成されている。下外郭部１０は、前面と上面とが開放した函状体で主体が構成されており、該函状体の左右の前端縁から外方に向けて下フランジ片４４が突設されている。この吸気部４は、下フランジ片４４の前面に吸気カバー４３が取り付けられ、上方が開放した偏平な函形状となる。
【００２５】
この吸気部４内には電気機器６が設けられている。この電気機器６は、具体的にはシロッコファンからなる送風機器６１である。この送風機器６１にはコネクタ６３が設けられており、このコネクタ６３を介して配線コード７により風路１１の上端部に設けられた制御回路６２と電気的に接続される。なお、図中の左側２箇所のシロッコファンは、調湿材９に通気させるための調湿用ファン６１ａであり、右側１箇所のシロッコファンは、循環通路部２７へ通気・循環させるための循環用ファン６１ｂである。
【００２６】
図３に示されるように、この送風機器６１の前面には板状のファンカバー４５が配設されており、該ファンカバー４５のシロッコファンに対応する部分には貫通孔４５１が穿設されている。さらに、このファンカバー４５の前面には、脱臭フィルタ４６と集塵フィルタ４７とが配設され、その上から吸気カバー４３が取り付けられる。この吸気カバー４３には、幅方向の略全長に亘って吸気口４１が設けられており、この吸気口４１には複数の羽板を並設したルーバー４８が設けられている。なお、脱臭フィルタ４６は、吸気部４から吸気した空気の脱臭を行なうものであり、活性炭脱臭フィルタが用いられる。
【００２７】
排気部３は、ベース材２１の上端と連結する上外郭部３２と、該上外郭部３２の前面に取り付けられた排気口３１を有する排気カバー３３とから構成されている。上外郭部３２は、下外郭部４２を上下反転させたような形状となっており、前面と下面とが開放した函状体の左右の前端縁から外方に向けて上フランジ片３４が突設されている。排気部３は、上フランジ片３４の前面に排気カバー３３が取り付けられ、下方が開放した偏平な函形状となる。
【００２８】
この排気部３内にも電気機器６が設けられている。この電気機器６は、具体的には前記送風機器６１の制御を行なう制御回路６２である。この制御回路６２にはコネクタ６３が設けられており、このコネクタ６３を介して配線コード７により風路１１の下端部に設けられた送風機器６１と電気的に接続される。
【００２９】
制御回路６２は、送風機器６１のＯＮ／ＯＦＦや送風機器６１による風力の強弱の調整を制御する。本実施形態において、これらの制御は調湿用ファン６１ａと循環用ファン６１ｂとで独立して操作できるようになっている。なお、この制御回路６２は、コンセント等の家庭用給電部に接続される給電用の電源コードが接続されており、この電源コード及び配線コード７を介して送風機器６１を駆動させる。
【００３０】
この制御回路６２の前面には制御回路６２を保護する保護カバー３６が設けられている。排気部３は、この保護カバー３６を取り付けた上で、さらに前方に排気カバー３３が取り付けられて成る。この排気カバー３３には、幅方向の略全長に亘って排気口３１が設けられており、この排気口３１には複数の羽板を並設したルーバー３５が設けられている。
【００３１】
なお、図示は省略されているが、本実施形態の排気部３には帯電微粒子水を生成する静電霧化装置が取り付けられていてもよい。この場合静電霧化装置は、循環通路部２７と連通する領域Ｃに設けられるのが好ましい。
【００３２】
このような構成の建築用パネルを組み立てるには、上記構成の中央部２の下方に吸気部４を取り付けると共に、中央部２の上方に排気部３を取り付ける。具体的には、中央部２は、下方に吸気部４の下外郭部４２の一部を被嵌して取り付け、上方に排気部３の上外郭部３２の一部を被嵌して取り付けている。
【００３３】
このとき、上記のように中央部２に排気部３と吸気部４とを取り付ける前に、送風機器６１と制御回路６２とを、中央部２に配設された配線コード７を用いて接続する。
【００３４】
中央部２の下端（すなわち、風路１１の通気方向Ｂの下端部）から、弾性を有する配線コード７の復元力に抗して配線コード７を引き出し、この状態で配線コード７のコネクタ７１と送風機器６１のコネクタ６３とを接続する。このとき配線コード７は、該コネクタ７１と固定部材８との間で湾曲（又は屈曲）した状態となっており、弾性による復元力が働くため、接続された両コネクタ６３，７１は風路１１の通風方向Ｂの中央側に引き込まれる。
【００３５】
同様にして、中央部２の上端（すなわち、風路１１の通気方向Ｂの上端部）から弾性を有する配線コード７を引き出し、この状態で配線コード７のコネクタ７１と制御回路６２のコネクタ６３とを接続する。この場合も同様に、弾性による復元力が働くため、接続された両コネクタ６３，７１は風路１１の通風方向の中央側に引き込まれる。
【００３６】
このような構成によれば、接続状態の両コネクタ６３，７１が電気機器６から離れる方向に引き込まれるため、電気機器６と配線コード７とが干渉するのを防止できる。そのうえ、排気口３１や吸気口４１から余剰分の配線コード７が露出するのを防止でき、外観を良好なものとすることができる。
【００３７】
以上、本実施形態の建築用パネルを通気方向Ｂが上下方向とされるような設置状態に基づいて説明したが、本発明は、本実施形態の建築パネルを通気方向Ｂが水平方向とされるような状態で設置するものであってもよいし、あるいは、天井パネルとして前面が水平面とされるように設置するものであってもよい。
【００３８】
なお、本実施形態では、中央部２と排気部３及び吸気部４が取り外し自在となっているが、本発明はこの構成に特に限定されず、例えばねじ等の固着具や接着などの取り付け方法を用いて排気部３と吸気部４とを中央部２に固定的に取り付けてもよいし、排気部３及び吸気部４が中央部２と分離したものでなくともよい。
【符号の説明】
【００３９】
１      パネル本体
１１    風路
２      中央部
３      排気部
４      吸気部
５      通気開口
６      電気機器
６１    送風機器
６２    制御回路
６３    コネクタ
７      配線コード
７１    コネクタ
８      固定部材
Ｂ      通気方向
【図１】
2011069129.tif 000003
【図２】
2011069129.tif 000004
【図３】
2011069129.tif 000005
【図４】
2011069129.tif 000006
【図５】
2011069129.tif 000007